(57)【要約】【課題】従来の画像形成装置では、画造形装置内に宛先表（ファクス番号、電話番号、メールアドレス等を含む）や文書ファイル、画像ファイル等の機密情報が保持されている場合、これらの機密情報が漏洩する可能性があった。【解決手段】起動時に、現在の位置情報を取得する取得手段（Ｓ３０１）と、取得した位置情報を保持する保持手段と、前記保持手段により保持されている前回起動時の位置情報と、前記現在の位置情報とが同一であるかどうかを判断する判断手段（Ｓ３０３）と、前記判断手段により同一でないと判定された場合に、画像形成に関する機密情報を消去する消去手段（Ｓ３０４）とを有することを特徴とする画像形成装置。【選択図】図３
2013054662.tif 000002
【特許請求の範囲】
【請求項１】
起動時に、現在の位置情報を取得する取得手段と、
取得した位置情報を保持する保持手段と、
前記保持手段により保持されている前回起動時の位置情報と、前記現在の位置情報とが同一であるかどうかを判断する判断手段と、
前記判断手段により同一でないと判定された場合に、画像形成に関する機密情報を消去する消去手段と
を有することを特徴とする画像形成装置。
【請求項２】
前記判断手段により同一でないと判定された場合に、前記前回起動時の位置情報と、前記現在の位置情報とに基づいて、それぞれの位置情報が示す位置の間の距離を算出する算出手段と、
算出した距離に応じて、前記消去手段による消去の対象となる前記機密情報を決定する決定手段と
を有することを特徴とする請求項１に記載の画像形成装置。
【請求項３】
管理者のパスワードの入力を受け付ける受付手段をさらに備え、
前記保持手段は、入力された前記パスワードが前記管理者のパスワードとして登録されている場合に、取得した前記現在の位置情報を保持する
ことを特徴とする請求項１または２に記載の画像形成装置。
【請求項４】
位置情報を保持する保持手段と、
基本となる位置情報を登録する登録手段と、
起動時に、前記保持手段により保持されている前回起動時の位置情報と、前記基本となる位置情報とが同一であるかどうかを判断する判断手段と、
前記判断手段により同一でないと判定された場合に、画像形成に関する機密情報を消去する消去手段と
を有することを特徴とする画像形成装置。
【請求項５】
画像形成装置における制御方法であって、
起動時に、現在の位置情報を取得する取得ステップと、
取得した位置情報を保持する保持ステップと、
前記保持ステップで保持されている前回起動時の位置情報と、前記現在の位置情報とが同一であるかどうかを判断する判断ステップと、
前記判断ステップにより同一でないと判定された場合に、画像形成に関する機密情報を消去する消去ステップと
を備えることを特徴とする画像形成装置における制御方法。
【請求項６】
前記判断ステップで同一でないと判定された場合に、前記前回起動時の位置情報と、前記現在の位置情報とに基づいて、それぞれの位置情報が示す位置の間の距離を算出する算出ステップと、
算出した距離に応じて、前記消去ステップによる消去の対象となる前記機密情報を決定する決定ステップと
を備えることを特徴とする請求項５に記載の制御方法。
【請求項７】
管理者のパスワードの入力を受け付ける受付ステップと、
入力された前記パスワードが前記管理者のパスワードとして登録されている場合に、取得した前記現在の位置情報を保持するステップと
をさらに備えることを特徴とする請求項５または６に記載の制御方法。
【請求項８】
画像形成装置における制御方法であって、
位置情報を保持する保持ステップと、
基本となる位置情報を登録する登録ステップと、
起動時に、保持されている前回起動時の位置情報と、前記基本となる位置情報とが同一であるかどうかを判断する判断ステップと、
前記判断ステップで同一でないと判定された場合に、画像形成に関する機密情報を消去する消去ステップと
を備えることを特徴とする制御方法。
【請求項９】
請求項５乃至８に記載の制御方法を画像形成装置に実行させるためのプログラム。
【発明の詳細な説明】
【技術分野】
【０００１】
本発明は画像形成装置、画像形成装置の制御方法に関する。
【背景技術】
【０００２】
従来の画像形成装置には、起動時に磁気検出センサや光学センサを使用して、装置が移動したことを検知した場合に、セキュリティの観点から複写を禁止するものがある。（例えば、特許文献１参照。）。
【先行技術文献】
【特許文献】
【０００３】
【特許文献１】特開平８−１９４４１３号公報
【発明の概要】
【発明が解決しようとする課題】
【０００４】
画像形成装置内には、宛先表（ファクス番号、電話番号、メールアドレス等を含む）や文書ファイル、画像ファイル等の機密情報が保持されていることがある。したがって、画像形成装置が盗難された場合に、これらの機密情報が漏洩する可能性があり、よりいっそうセキュリティの強化が求められている。
【課題を解決するための手段】
【０００５】
本発明は、画像形成装置であって、起動時に、現在の位置情報を取得する取得手段と、取得した位置情報を保持する保持手段と、前記保持手段により保持されている前回起動時の位置情報と、前記現在の位置情報とが同一であるかどうかを判断する判断手段と、前記判断手段により同一でないと判定された場合に、画像形成に関する機密情報を消去する消去手段とを有することを特徴とする。
【発明の効果】
【０００６】
画像形成装置が盗難等により移動された場合に、画像形成装置内に保持されている宛先表（ファクス番号、電話番号、メールアドレス等を含む）や文書ファイル、画像ファイル等の機密情報の漏洩を防止することができる。
【図面の簡単な説明】
【０００７】
【図１】本発明に係る画像形成装置のハードウェア構成を示すブロック図である。
【図２】本発明に係る画像形成装置のソフトウェアによるシステム構成を示す図である。
【図３】本発明の実施例１に係る起動処理のフローチャートを示す図である。
【図４】本発明の実施例２に係る起動処理のフローチャートを示す図である。
【図５】（ａ）は本発明の実施例３に係る位置追加処理のフローチャートを示す図であり、（ｂ）は本発明の実施例３に係る起動処理のフローチャートを示す図である。
【図６】本発明の実施例３に係る設定画面の一例を示す図である。
【図７】実施例３または実施例４に係る各種テーブルの構成例を示す図である。
【図８】本発明の実施例４に係る起動処理のフローチャートを示す図である。
【発明を実施するための形態】
【０００８】
以下、本発明を実施するための最良の形態について図面を用いて説明する。  
（実施例１）
本発明に係る画像形成装置の一実施形態について説明する。本実施例では画像形成装置の一例として、ＭＦＰ（Ｍｕｌｔｉｆｕｎｃｔｉｏｎ  Ｐｅｒｉｐｈｅｒａｌ）について説明する。なお、画像形成装置には、プリンター、ＦＡＸなど、ＭＦＰ以外のものも含む。
【０００９】
図１は、本発明に係る実施形態の画像形成装置のハードウェア構成を示す説明するブロック図である。
【００１０】
ＭＦＰ１００において、１０１はネットワークＩ／Ｆであり、ネットワーク１７０へ接続しネットワーク通信を行う。１０２はＣＰＵであり、制御プログラム等に基づいて処理を行い、システムバス１１５に接続されるプリンターＩ／Ｆ１０７を介して、プリンター１０８に対して、出力情報としての画像信号を出力する。なお、制御プログラムはＲＯＭ１０４や外部メモリ１１２等に記憶されている。
【００１１】
ＣＰＵ１０２はネットワークＩ／Ｆ１０１を介してクライアントコンピューター１２０との通信処理が可能となっている。さらにＣＰＵ１０２はＲＯＭ１０４あるいは外部メモリ１１２に記憶されたアプリケーションプログラム等に基づいて処理を実行する。
【００１２】
１０３はＲＡＭであり、ＣＰＵ１０２の主メモリ、ワークエリア等として機能し、図示しない増設ポートに接続されるオプションＲＡＭによりメモリ容量を拡張することができるように構成されている。なお、ＲＡＭ１０３は、出力情報展開領域、環境データ格納領域、ＮＶＲＡＭ等に用いられる。
【００１３】
１０４はＲＯＭであり、１１２はハードディスク（ＨＤ）等の外部メモリである。このＲＯＭ１０４あるいは外部メモリ１１２には、ＣＰＵ１０２の制御プログラムや上記出力情報を生成する際に使用するフォントデータ、ＭＦＰ１００上で利用される情報等が記憶される。
【００１４】
１０５は操作部Ｉ／Ｆであり、操作部１０６との間のインタフェースとして機能し、表示すべき画像データを操作部１０６に対して出力する。また、ユーザーが操作部１０６を介して入力した情報の受信も行う。
【００１５】
１０６は操作部であり、操作のためのスイッチおよびＬＥＤ表示器等が配されている操作パネル等に相当する。
【００１６】
１０７はプリンターＩ／Ｆで、プリンター１０８（プリンターエンジン）に出力情報としての画像信号を出力する。
【００１７】
１０９はスキャナーＩ／Ｆで、スキャナー１１０（スキャナーエンジン）からの入力情報として画像信号を受信する。
【００１８】
１１１は外部メモリＩ／Ｆ（メモリコントローラ）であり、ハードディスク（ＨＤ）、ＩＣカード等の外部メモリ１１２のアクセスを制御する。また、前述した外部メモリは１個に限らず、少なくとも１個以上備え、内蔵フォントに加えてオプションフォントカード、言語系の異なるプリンター制御言語を解釈するプログラムを格納及び保持した外部メモリを複数接続できるように構成されていてもよい。さらに、図示しないＮＶＲＡＭを有し、操作部１０６からのプリンターモード設定情報を記憶するようにしてもよい。
【００１９】
１１３はＧＰＳ受信機Ｉ／Ｆで、ＧＰＳ受信機１１４が受信した位置情報を取得する。１１５はシステムバスであり、各デバイスを接続する。
【００２０】
図２は、本発明に係る画像形成装置のプログラムに基づいた機能構成を示すブロック図である。ＭＦＰ１００において、各種モジュールは、ＲＯＭ１０４あるいは外部メモリ１１２に保存されたファイルとして存在し、実行時にＲＡＭ１０３にロードされ実行される。
【００２１】
２００はネットワークモジュールであり、任意の通信プロトコルを使用してクライアントコンピューター１２０とネットワーク通信を行う。
【００２２】
２０１は設定管理モジュールであり、ＭＦＰ１００に関する設定情報について管理を行う。ここで設定情報とは例えばＭＦＰ１００の名称、設置場所情報、管理者情報、ネットワーク設定、メールアドレス・ＦＡＸ番号などの宛先表情報、フォント・マクロ・カラープロファイル等のリソースファイル等が挙げられる。また、設定情報にはＭＦＰ上で動作するアプリケーションやアプリケーションの設定情報等を含んでいてもよい。
【００２３】
２０２は位置管理モジュールであり、ＭＦＰ１００の起動時に位置情報をＧＰＳ受信機１１４から取得し、ＲＯＭ１０４あるいは外部メモリ１１２に保存する。
【００２４】
２０３はファイル管理モジュールであり、クライアントコンピューター１２０からネットワーク１７０を介して送信された文書ファイルや、スキャナー１１０にて生成された画像データファイルの管理を行う。
【００２５】
２０４はＵＩモジュールであり、ＭＦＰ１００の操作部１０６に表示されるＵＩの描画および操作部１０６上でユーザーのＵＩ操作により入力されたユーザー入力値の受信を行う。
【００２６】
次に、図３を用いて、ＭＦＰ１００の起動時の動作について述べる。
【００２７】
まず、Ｓ３００で位置管理モジュール２０２が、ＭＦＰ１００の前回起動時における位置情報を参照する。
【００２８】
次に、Ｓ３０１で位置管理モジュール２０２が、ＭＦＰ１００の現在の位置情報をＧＰＳ受信機１１４から取得する。
【００２９】
次に、Ｓ３０２で位置管理モジュール２０２が、ＭＦＰ１００の前回起動時の位置情報が設定済みかどうかを判定する。Ｓ３０２で位置情報が未設定と判断した場合はＳ３０５へ進み、設定済みと判断した場合はＳ３０３へ進む。
【００３０】
Ｓ３０３では位置管理モジュール２０２が前回起動時の位置情報と、現在の位置情報とを比較する。位置管理モジュール２０２が前回起動時の位置情報と、現在の位置情報が同じと判定した場合は、Ｓ３０５へ進む。一方、Ｓ３０３で前回起動時の位置情報と、現在の位置情報が異なると判定した場合は、Ｓ３０４に進む。
【００３１】
Ｓ３０４にて設定管理モジュール２０１が、設定管理モジュール２０１で管理されている設定情報を初期化（ＭＦＰ１００の出荷状態に戻す）する。また、ファイル管理モジュールが、ファイル管理モジュールで管理されているファイルを初期化する。このように、Ｓ３０４において、画像形成に関する機密情報を消去して、予め設定されている初期データに初期化する。本実施例では、初期化するように動作すると記載したが、すべての設定情報を完全に消去するように動作してもよい。
【００３２】
次に、Ｓ３０５で位置管理モジュール２０２が、現在の位置情報を前回起動時の位置情報に入替え、次回起動時の比較対象として保存する。
【００３３】
そして、Ｓ３０６でＣＰＵ１０２が、ＭＦＰ１００の起動を行い、処理を終了する。
【００３４】
以上の処理により、ＭＦＰ１００が前回起動時の位置情報と異なる位置で起動された場合に、設置場所情報、管理者情報、ネットワーク設定、メールアドレス・ＦＡＸ番号などの宛先表情報や文書ファイルや画像データファイルを初期化する。それにより、例えＭＦＰ１００が盗難されたとしても、第三者に機密情報を知られることはなく、従って情報漏洩を防止するという効果を得ることができる。
【００３５】
（実施例２）
実施例１では、ＭＦＰ１００が前回の起動時と異なる位置で起動した場合に、すべての設定情報を消去して初期化することにより、機密情報の漏洩を防止している。本実施例では、ＭＦＰ１００が前回の起動時から移動した距離に応じて、対象となる機密情報を決定して初期化する。
【００３６】
以下、図４を用いて、ＭＦＰ１００の起動時の動作について述べる。なお、ここでの説明は実施例１の図３と一部重複するため、異なる部分のみを以下に説明する。
【００３７】
Ｓ４００で、位置管理モジュール２０２は、前回起動時の位置情報と、現在の位置情報との間の距離を算出する。
【００３８】
次に、Ｓ４０１にて、前回と現在との距離が設定された所定距離のＡメートル（例えば、１００メートル）未満の場合（Ｓ４０１；ＮＯ）、Ｓ４０４に進む。一方、Ｓ４０１にて、距離がＡメートル以上の場合（Ｓ４０１；ＹＥＳ）、Ｓ４０２に進む。そして、Ｓ４０２にて設定管理モジュール２０１は、設定管理モジュール２０１で管理されている設定情報を初期化（ＭＦＰ１００の出荷状態に戻す処理）する。また、ファイル管理モジュールは、ファイル管理モジュールで管理されているファイルを初期化する。次に、Ｓ４０３にて、ＭＦＰ１００の動作を停止する。
【００３９】
Ｓ４０１でＮＯの場合、Ｓ４０４にて、前回と現在との距離が所定距離のＢメートル（例えば、５０メートル）未満の場合はＳ４０６に進む。一方、Ｓ４０４にて距離がＢメートル以上の場合は、Ｓ４０５にて設定管理モジュール２０１が、設定管理モジュール２０１で管理されている設定情報のみを初期化する。Ｓ４０６ではファイル管理モジュールが、ファイル管理モジュールで管理されているファイルを初期化する。本実施例では移動距離によって初期化を、距離の差に応じて３つの区分に分割したが、分割数はいくつでもよいことは言うまでもない。
【００４０】
以上の処理により、ＭＦＰ１００が前回起動時から移動した距離に応じて、初期化する情報を変更することができるため、移動の用途に柔軟に対応した情報管理が可能になるという効果を得ることができる。
【００４１】
（実施例３）
実施例１および実施例２では、前回起動時の位置情報のみをＭＦＰ１００に記録している。本実施例では、ＭＦＰ１００の管理者権限を有するユーザーが、前回とは異なる位置で起動させた場合に、位置管理モジュール２０２を介して位置情報を記録し、情報の初期化は行わない。以下、図５を用いて、ＭＦＰ１００の起動時可能場所を追加する設定動作について述べる。
【００４２】
図５（ａ）は、本発明の実施例３に係る位置追加処理のフローチャートを示す図である。
【００４３】
まず、Ｓ５００にて位置管理モジュール２０２は、位置管理モジュール２０２に記録されている位置情報を参照する。ここで、位置管理モジュール２０２に記録されている位置情報のテーブル構成例は、図７（ａ）に示す位置管理テーブル７００のようになる。なお、図７（ａ）のテーブル構成はあくまで一例であり、本例とは異なるテーブル構成であってもよい。図７（ａ）に示すように、位置管理テーブル７００は、ＭＦＰ１００の起動時における設置場所に関する位置情報を管理するためのテーブルである。位置管理テーブル７００に記録される情報は、例えば、位置情報の識別子、場所名称、緯度、経度、高度、更新日時等が挙げられる。
【００４４】
次に、Ｓ５０１にて、位置管理モジュール２０２は、ＭＦＰ１００の現在の位置情報をＧＰＳ受信機１１４から取得する。
【００４５】
次に、Ｓ５０２にて、位置管理モジュール２０２は、位置管理テーブル７００に記録されている過去の位置情報と、現在の位置情報とが異なるかどうか、または、同一の位置情報であるかどうかを判定する。位置管理テーブル７００に記録されている過去の位置情報の中に現在の位置情報と同じものがある場合は、処理を終了する（Ｓ５０２；ＮＯ）。一方、位置管理テーブル７００に記録されている過去の位置情報と、現在の位置情報とが異なる、または、位置管理テーブル７００に過去の位置情報が記録されていない場合（Ｓ５０２；ＹＥＳ）、Ｓ５０３へ進む。
【００４６】
Ｓ５０３にて、ＵＩモジュール２０４は、操作部１０６にＭＦＰ１００の管理者パスワードの入力を促す画面を表示させる。そして、Ｓ５０４にて、ＵＩモジュール２０４は、操作部１０６に対して管理者パスワードが入力されているかどうかを判定する。管理者パスワードの入力があった場合は、入力された管理者パスワードが正しいかどうか判定し、正しくない場合はＳ５０３に戻る。なお、管理者パスワードの入力が一回もしくは複数回不正であった場合（不図示）、ＭＦＰ１００を起動せずに処理を終了するように動作してもよい。正しい管理者パスワードが入力された場合は、Ｓ５０５にて、操作部１０６に、現在の位置情報を記録するための設定画面を表示させる。
【００４７】
ここで、ＵＩモジュール２０４が操作部１０６に表示させる位置情報の設定画面の例を図６に示す。６００はＬＣＤタッチパネルであり、ユーザーが操作するためのＵＩ画面が表示されて、ユーザーからの入力を受付ける。ＬＣＤタッチパネル６００にはユーザーに位置情報の保存を促すメッセージと、現在のＭＦＰ１００の位置情報６０１が表示される。また、ＭＦＰ１００の位置情報に対する場所名称６０２が入力可能である。また、本画面例に示すように現在の位置情報を保存するか否かを選択することもできる。６０３は位置情報の保存ボタンであり、ユーザーによって当該保存ボタンがタッチされると（Ｓ５０６；ＹＥＳ）、Ｓ５０７において現在の位置情報を保存する。６０４は、現在の位置情報の保存処理をキャンセルするボタンであり、ユーザーにタッチされると（Ｓ５０６；ＮＯ）、保存処理を行わずに処理が終了する。６０５は、ハードキーであり、数値を入力するためのテンキーやソフト電源スイッチ、ＬＣＤタッチパネルのコントラスト調整キー等から構成されている。位置情報の保存ボタン６０３をユーザーがタッチすると、Ｓ５０６でＵＩモジュール２０４がユーザー入力ありと判断しＳ５０７へ進む。Ｓ５０７では、Ｓ５０１で取得済みの現在の位置情報を位置管理モジュール２０２が保存する。
【００４８】
図５（ｂ）は、図５（ａ）に示す位置追加処理により追加された位置情報に基づいて、ＭＦＰ１００を起動処理する場合のフローチャートである。なお、ここでは、図３および図５（ａ）と一部重複するため、異なる部分のみを以下に説明する。
【００４９】
Ｓ５０２にて位置管理モジュール２０２が、位置管理テーブル７００に記録されている過去の位置情報の中に、現在の位置情報と同じものがあると判定した場合は、Ｓ３０６のＭＦＰ１００の起動処理へ進む。一方、Ｓ５０２にて、位置管理テーブル７００に記録されている過去の位置情報と、現在の位置情報とが異なる、または、過去の位置情報がないと判定した場合は、Ｓ３０４の初期化処理へ進む。
【００５０】
以上の処理により、ＭＦＰ１００の起動時の位置情報が、既に記録済みの位置情報と異なる場合、もしくは記録済みの位置情報が存在しない場合に、管理者に限って起動可能な位置情報の追加保存を可能とする。これによって、複数拠点での起動が可能になるという効果を得ることができる。
【００５１】
（実施例４）
実施例３は、画像形成装置の管理者権限をもつユーザーが現在の位置情報を登録することができる。本実施例では、ＭＦＰ１００が最初に起動された場所を本籍として登録しておき、他の場所に移動した後で、本籍に戻ってきた場合にのみ設定情報の初期化を行う。
【００５２】
以下、図８を用いて、ＭＦＰ１００の起動処理について説明する。
【００５３】
まず、Ｓ８００にて、位置管理モジュール２０２は、位置管理モジュール２０２に記録されているＭＦＰ１００の基本位置情報を参照する。ここで、位置管理モジュール２０２に記録されている位置情報のテーブル構成例を図７（ｂ）に示す。なお、図７（ｂ）のテーブル構成はあくまで一例であり、当該テーブルと異なる構成であってもよい。基本位置管理テーブル７０１は、ＭＦＰ１００の本籍となる位置情報を管理するテーブルである。また、図７（ｃ）に示す位置管理テーブル７０２は、ＭＦＰ１００の起動時における設置場所に関する位置情報を管理するテーブルである。基本位置管理テーブル７０１および位置管理テーブル７０２で管理される情報は、例えば、位置情報の識別子、緯度、経度、高度、更新日時等が挙げられる。
【００５４】
次に、Ｓ８０１にて、位置管理モジュール２０２は、ＭＦＰ１００の現在の位置情報をＧＰＳ受信機１１４から取得する。
【００５５】
次に、Ｓ８０２にて、位置管理モジュール２０２は、基本位置管理テーブル７０１に本籍となる基本位置情報が登録されているか否かを判断する。登録されていない場合はＳ８０３にて位置管理モジュール２０２は、現在の位置情報を基本位置管理テーブル７０１へ登録し、Ｓ８０６へ進む。
【００５６】
一方、基本位置管理テーブル７０１に本籍となる基本位置情報が登録されている場合、Ｓ８０４に進む。そして、Ｓ８０４にて、位置管理モジュール２０２は、位置管理テーブル７０２に登録されている位置情報のうち更新日時が最新の位置情報と、基本位置管理テーブル７０１に登録されている位置情報とを比較する。比較の結果、それぞれの位置情報が一致する場合、ＭＦＰ１００は基本の位置から移動していないと判断される。そして、Ｓ８０７へ進む。一方、Ｓ８０４にてそれぞれの位置情報が異なると判定された場合、位置管理モジュール２０２は、ＭＦＰ１００は基本の位置から一旦移動した後に、基本位置に戻ってきたものである判断される。そして、Ｓ８０５に進み、Ｓ８０５にて設定管理モジュール２０１は、設定管理モジュール２０１で管理されている情報を初期化（ＭＦＰ１００の出荷状態に戻す）する。またファイル管理モジュール２０３が、ファイル管理モジュール２０３で管理されている情報を初期化する。
【００５７】
次に、Ｓ８０６にて、位置管理モジュール２０２は、現在の位置情報を位置管理テーブル７０２に記録する。
【００５８】
続いて、Ｓ８０７にて、ＣＰＵ１０２は、ＭＦＰ１００を起動して、処理を終了する。
【００５９】
以上の処理により、ＭＦＰ１００の基本位置を登録しておくことにより、一旦基本位置から移動された後に、基本位置に戻ってきた場合に初期化処理が行われる。これによって、大量のＭＦＰ１００をレンタルあるいはリースするような場合に、返却時に一台毎に手動で初期化処理を行わずとも、ＭＦＰ１００が位置を自動的に判断し、初期化処理が行われるという効果を得ることができる。
【符号の説明】
【００６０】
１００  ＭＦＰ（Ｍｕｌｔｉｆｕｎｃｔｉｏｎ  Ｐｅｒｉｐｈｅｒａｌ）
１２０  クライアントコンピューター
２０１  （ＭＦＰ）設定管理モジュール
２０２  （ＭＦＰ）位置管理モジュール
２０３  （ＭＦＰ）ファイル管理モジュール
２０４  （ＭＦＰ）ＵＩモジュール
【図１】
2013054662.tif 000003
【図２】
2013054662.tif 000004
【図３】
2013054662.tif 000005
【図４】
2013054662.tif 000006
【図５】
2013054662.tif 000007
【図６】
2013054662.tif 000008
【図７】
2013054662.tif 000009
【図８】
2013054662.tif 000010